(57)【要約】【課題】林床土ブロックを崩すことなく、手早く植え付けることが可能な植物群植付機を提供する。【解決手段】重機のアームＡの先端に装着して使用される植物群植付機１であって、林床土ブロックＢが収納されたコンテナ１０の底板１２を支持するフォーク３と、フォーク３とコンテナ１０の底板１２とをワイヤ５３により連結する連結部５と、フォーク３をスライドさせて、コンテナ１０のユニット枠１１から底板１２をスライドさせる駆動部４とを備え、フォーク３がスライドする際に、コンテナ１０の底板１２と共に移動するユニット枠１１に当接して、ユニット枠１１の移動を規制する突き当て部として機能する前面板２ｃが植付機本体２に設けられている。スライドした底板１２は、フォーク３と共に植付機本体２に収納される。【選択図】図９
2008161091.tif 000002
【特許請求の範囲】
【請求項１】
重機に装着して使用され、植物群が植生した表土層を掘り取った林床土ブロックを移植先に移植する植物群植付機であって、
前記林床土ブロックが収納されたコンテナの底板を支持する支持部と、
前記支持部と前記コンテナの底板とを連結する連結部と、
前記支持部をスライドさせて、前記コンテナの枠体から前記底板を離脱させる駆動部と
を備えた植物群植付機。
【請求項２】
前記支持部がスライドする際に、前記コンテナの底板と共に移動する枠体に当接して、前記枠体の移動を規制する突き当て部が設けられていることを特徴とする請求項１記載の植物群植付機。
【請求項３】
前記コンテナの底板を収納する収納部が設けられていることを特徴とする請求項１または２記載の植物群植付機。
【請求項４】
前記支持部は、少なくとも２本のフォークであることを特徴とする請求項１から３のいずれかの項に記載の植物群植付機。
【請求項５】
前記連結部は、前記コンテナの底板に設けられた桟木と、前記支持部の基端とに、引っかけ可能なフックが設けられた綱状部材を備えていることを特徴とする請求項１から４のいずれかの項に記載の植物群植付機。
【発明の詳細な説明】
【技術分野】
【０００１】
本発明は、樹木や草本などが植生している表土層をブロック状に堀り取った林床土ブロックを、移植先に植え付ける植物群植付機に関する。
【背景技術】
【０００２】
樹木や草本などが植生している表土層をブロック状に堀り取った林床土ブロックを移植先に移送して移植する従来の植物群植付機が、例えば、特許文献１，２に記載されている。
【０００３】
この特許文献１に記載の表土ブロックの移設方法は、従来の植物群植付機となる重機のバケットに装着したコンテナに、表土ブロックを採取して収納し、移設場所まで重機を移動し、コンテナの前部を地上に着けたまま、後部を持ち上げてコンテナを傾け、表土ブロックをズリ出させて表土ブロックを移設先に配置することが記載されている。
【０００４】
また、特許文献２に記載の表土移植工法は、従来の植物群植付機となる自走機械に装着された表土剥ぎ取り機構にセット保持した表土層を満載した表土移植具を、移植目的地の移植地面上に、押出シリンダで押し出して、そのまま下ろして置いた後、表土移植具の底面部材を取り外して開放することで、表土層を移植することが記載されている。
【０００５】
【特許文献１】特開２００２−３３９３９２号公報
【特許文献２】特開２００３−６１４１２号公報
【発明の開示】
【発明が解決しようとする課題】
【０００６】
しかし、特許文献１によると、重機によりコンテナの前部を地上に着けたまま、後部を持ち上げてコンテナを傾けて表土ブロックをズリ出させると、表土ブロックが崩れるおそれがある。また、特許文献２によると、表土移植具に表土層を満載した状態で、一旦、移植目的地の移植地面上にそのまま下ろして置いた後に、表土移植具の底面部材を取り外して開放して表土層を移植するので、手間を要してしまう。
【０００７】
そこで本発明は、林床土ブロックを崩すことなく、手早く植え付けることが可能な植物群植付機を提供することを目的とする。
【課題を解決するための手段】
【０００８】
本発明の植物群植付機は、重機に装着して使用され、植物群が植生した表土層を掘り取った林床土ブロックを移植先に移植する植物群植付機であって、前記林床土ブロックが収納されたコンテナの底板を支持する支持部と、前記支持部と前記コンテナの底板とを連結する連結部と、前記支持部をスライドさせて、前記コンテナの枠体から前記底板を離脱させる駆動部とを備えたものである。
【０００９】
本発明の植物群植付機は、駆動部により支持部をスライドさせることで、支持部と連結部によって連結されたコンテナの底板が枠体から離脱して、コンテナに収納された林床土ブロックを枠体から取り出すものである。従って、林床土ブロックをコンテナの枠体からそのままの状態で取り出すことができる。また、本発明の植物群植付機は、重機に装着して使用されるものなので、林床土ブロックを収納したコンテナを支持部に載せたまま重機を移植先まで移動させ、移植先でコンテナの底板をスライドさせることで林床土ブロックを取り出すことができるので、手間をかけずに植え付け作業を行うことができる。
【００１０】
前記支持部がスライドする際に、前記コンテナの底板と共に移動する枠体に当接して、前記枠体の移動を規制する突き当て部が設けられているのが望ましい。林床土ブロックは重量が重いので、コンテナの底板を枠体からスライドする際に、コンテナ全体がスライド方向へ、支持部のスライドと共に移動するおそれがある。しかし、コンテナの枠体に当接する突き当て部が設けられていることで、支持部をスライドしても、コンテナはこの突き当て部に突き当たり、移動が規制されるので、確実にコンテナの底板をスライドさせて林床土ブロックを取り出すことができる。
【００１１】
前記コンテナの底板を収納する収納部が設けられていると、支持部がスライドしてコンテナの底板を外すときに、コンテナの底板が収納部に収納されるので、コンテナから林床土ブロックを取り出した後に、不要となったコンテナの底板を所定の位置まで容易に搬送することができる。
【００１２】
また、支持部は、少なくとも２本のフォークであるのが望ましい。支持部を少なくとも２本のフォークとすることで、支持部全体を一枚の板部材とするより、コンテナを安定して支持しつつ、軽量化を図ることができる。
【００１３】
前記連結部は、前記コンテナの底板に設けられた桟木と、前記支持部の基端とに、引っかけ可能なフックが設けられた綱状部材とすることができる。コンテナの底板を外して林床土ブロックを取り出すときに、コンテナ側の取付位置と支持部側の取付位置との距離が長くなったり短くなったり多少変わっても、綱状部材であれば、少し屈曲させて長さを調整することができるので、容易に支持部とコンテナの底板とを連結することができる。
【発明の効果】
【００１４】
本発明の植物群植付機は、コンテナの枠体からそのままの状態で林床土ブロックを取り出すことができるので、林床土ブロックを崩すことなくコンテナから下ろすことができる。よって、林床土ブロックの移植作業の品質を向上させることができる。また、移植先でのコンテナの配置と、林床土ブロックの取り出しとを、本発明の植物群植付機のみで行うことができ、手間をかけずに植付作業を行うことができるので、移植作業の時間を短縮することができる。
【発明を実施するための最良の形態】
【００１５】
本発明の実施の形態に係る植物群植付機について、図１から図８に基づいて説明する。図１は、本発明の実施の形態に係る植物群植付機を重機のアームの先端に装着した状態を示す図である。図２は、林床土ブロックを収納するコンテナの分解した状態を示す図である。図３は、図１に示す植物群植付機がフォークを前方へスライドした状態を示す斜視図である。図４は、図３に示す植物群植付機の平面図である。図５は、植物群植付機の駆動部を示す図であり、フォークが前方へスライドした状態を示す側面図である。図６は、植物群植付機の駆動部を示す図であり、フォークが後方へスライドした状態を示す側面図である。図７は、連結部を示す要部拡大図である。図８は、フォークにコンテナを搭載した植物群植付機の一部を省略した斜視図である。図９は、フォークをスライドしてコンテナの底板を外した植物群植付機の一部を省略した斜視図である。
【００１６】
図１に示すように、植物群植付機（以下、植付機と称す。）１は、重機ＨのアームＡの先端に装着して使用され、樹木や草本などが植生している表土層をブロック状に根こそぎ堀り取った林床土ブロックＢを収納したコンテナ１０を移植先まで搬送し、植え付けるものである。
【００１７】
ここで、コンテナ１０の構成について、図２に基づいて説明する。
図２に示すように、コンテナ１０は、植付けを行うための木製の箱である。コンテナ１０は、枠体であるユニット枠１１と、底板１２とで上部が開口した箱状に形成されている。ユニット枠１１は、長方形状の枠板材１１ａおよび垂木材１１ｂを組み合わせ、平面視正方形状に形成されている。底板１２は、正方形状の底板材１２ａと、桟木１２ｂとで形成されている。ユニット枠１１と底板１２とは、Ｌ字状の固定金具１４と図示しないボルトとで固定されている。このボルトは、固定金具１４の側面側と、底面側とに設けられている。
【００１８】
図３に示すように、植付機１は、植付機本体２と、コンテナ１０の底板１２（図２参照）を支持する支持部として機能するフォーク３と、フォーク３をスライドさせる駆動部４（図４および図５参照）を備えている。植付機本体２は、底面板２ａと、底面板２ａの両側部に対向するように配置された一対の側面板２ｂと、側面板２ｂの前端同士を接続する前面板２ｃと、側面板２ｂの後端同士を接続する後面板２ｄと、アームＡと接続する接続部２１が形成された上面板２ｅとで、箱状に形成されている。
【００１９】
前面板２ｃは、フォーク３がスライドする際に、コンテナ１０の底板１２と共に移動するユニット枠１１に当接して、ユニット枠１１の移動を規制する突き当て部として機能する。また、前面板２ｃは、スライドするフォーク３とコンテナ１０の底板１２が通過できるように、底面板２ａとの間に隙間ができるように形成されている。底面板２ａは、コンテナ１０の底板１２より外形が大きく形成されている。従って、底面板２ａは、フォーク３を底板１２の後端までスライドさせると、コンテナ１０の底板１２全体が底面板２ａ上に位置する。
【００２０】
図４から図６に示すように、フォーク３は、植付機本体２から前方に突出する帯状の水平板３１を並列に配置することで形成されている。フォーク３の後端には、垂直板３２が設けられている。
【００２１】
駆動部４は、フォーク３を前後へスライドさせるためのものである。駆動部４は、垂直板３２の左右に設けられた案内板４０と、揺動するリンク４１と、挿入の際にフォーク３が押し戻されないようにロック機構付きとしたシリンダ４２とにより形成されている。リンク４１端部の一方はピン４３によって案内板４０の上下方向に設けられた案内溝４０ａと接続され、もう一方をシリンダ４２の一方の端部にピン４４によって接続されている。また、シリンダ４２の他方の端部は側面板２ｂにピン４５によって固定されている。また、リンク４１の途中はピン４６によって植付機本体２に固定されており、シリンダ４２を重機Ｈの油圧装置で伸縮させることで、ピン４６を中心としてリンク４１が揺動して、フォーク３を前後へスライドさせる。このとき、ピン４３は案内溝４０ａに沿って上下にスライドする。フォーク３が前方端までスライドするときは植付機本体２の前面板２ｃに突き当たり、後方端までスライドするときは後面板２ｄに突き当たるため、フォーク３はこれらの間を前後にスライドする。
【００２２】
図７に示すように、連結部５は、フォーク３をスライドさせてコンテナ１０のユニット枠１１から底板１２を外すために、フォーク３とコンテナ１０の底板１２とを連結するものである。連結部５は、フォーク３の垂直板３２に固定された連結板５１と、コンテナ１０の底板１２がスライドする方向に沿って設けられた桟木１２ｂに取り付けられた連結具５２とを連結する金属細線を撚り合わせたワイヤ５３により形成されている。ワイヤ５３の両端には、フック５３ａ，５３ａが設けられている。この一方のフック５３ａが、連結板５１に設けられた逆Ｕ字状の取付部５１ａに掛けられ、他方のフック５３ａが連結具５２に設けられたＵ字状の取付部５２ａに掛けられていることで、フォーク３とコンテナ１０とが連結される。この連結部５は、フォーク３の２本の水平板３１の外側にそれぞれ２つ設けられている。本実施の形態では、金属製のワイヤ５３によりフォーク３と底板１２とを連結しているが、綱状部材で連結可能なものであれば、麻や綿などの植物繊維または合成繊維により形成されたロープとすることも可能である。
【００２３】
以上のように構成された本実施の形態に係る植付機１の使用方法について、図面に基づいて説明する。
まず、あらかじめ植付機１のフォーク３を前方へスライドさせた状態にしておく。次に、重機ＨのアームＡを操作して、掘り取った林床土ブロックＢが収納されたコンテナ１０の桟木１２ｂによってできた空間に、フォーク３を挿入する。重機ＨのアームＡを操作してフォーク３によりコンテナ１０を支持させて持ち上げ、所定の移植先まで重機Ｈを移動させる。
【００２４】
所定の移植先まで重機Ｈを移動させたら、重機ＨのアームＡを下げて、図７および図８に示すように、ワイヤ５３の一方の端部に設けられたフック５３ａをフォーク３側である連結板５１の取付部５１ａに掛け、他方の端部に設けられたフック５３ａをコンテナ１０の底板１２側となる連結具５２の取付部５２ａに掛けることで、フォーク３と底板１２とを連結する。フォーク３をコンテナ１０の底部に挿入したときに、フォーク３側となる連結板５１の取付部５１ａと、コンテナ１０側となる連結具５２の取付部５２ａとの距離が長くなったり短くなったり多少変わっても、ワイヤ５３であれば、少し屈曲させれば長さを調整することができるので、容易にフォーク３と底板１２とを連結することができる。また、前面板２ｃがユニット枠１１に当接するまで、フォーク３をコンテナ１０の底部に挿入した場合においても、作業のしにくい桟木１２ｂの連結具と、植付機本体２内の連結板５１の取付部５１ａとの連結を、ワイヤ５３であれば撓ませながら作業することができるので、容易に行うことができる。ワイヤ５３によるフォーク３と底板１２との連結が完了すると、コンテナ１０の固定金具１４を固定しているボルトを外し、コンテナ１０を移植先の地面に置く。
【００２５】
フォーク３を後方へスライドさせると、ワイヤ５３によって連結されたコンテナ１０の底板１２はフォーク３のスライドと共に引っ張られる。そのとき、底板１２は林床土ブロックＢの重量がかかっているので、底板１２だけがスライドせずにコンテナ１０全体がフォーク３のスライド方向に移動してしまう。しかし、フォーク３のスライド方向にコンテナ１０全体が移動しても、植付機本体２の前面板２ｃにユニット枠１１が当接して、ユニット枠１１の移動を規制することで、底板１２のみがユニット枠１１からスライドして外れる。
【００２６】
底板１２がスライドすることで、徐々にユニット枠１１の底が開口すると、林床土ブロックＢが移植先の地面に落ちる。しかし、林床土ブロックＢは底板１２とフォーク３との厚み程度の高さから落ち、またユニット枠１１が林床土ブロックＢの外周面を支えているので、型くずれすることなく、その形を維持したまま落下する。
【００２７】
底板１２には、側面のボルトが外れた固定金具１４が、両側に取り付けているので、この固定金具１４が、底板１２をスライドさせるときのガイドとなって、スライドする底板１２が斜めにずれてしまうことを防止する。
【００２８】
図９の示すように、スライドした底板１２は、フォーク３と共に植付機本体２内に収納される。底板１２は、収納部として機能する植付機本体２内に収納されるので、このまま所定の位置まで重機Ｈを操作して植付機１を移動させることで、不要となったコンテナ１０の底板１２を容易に搬送することができる。
【００２９】
植付機１をユニット枠１１から遠ざけると、林床土ブロックＢからユニット枠１１を外す。ユニット枠１１を林床土ブロックＢから外すことで、底板１２と共に再利用することが可能であるが、ユニット枠１１が林床土ブロックＢを囲った状態のまま、盛土でユニット枠１１全体を覆い隠すようにしてもよい。ユニット枠１１は木製なので、そのままの状態で埋めても経年変化により腐食するため、問題はなく、林床土ブロックＢからユニット枠１１を外す手間が省ける。
【００３０】
このようにして、植付機１による林床土ブロックＢの植え付けを行うことができるので、林床土ブロックＢをコンテナ１０のユニット枠１１からそのままの状態で取り出すことができる。従って、林床土ブロックＢを崩すことなく、手早く植え付けることが可能である。また、植付機１は、重機Ｈに装着して使用されるものなので、林床土ブロックＢを収納したコンテナ１０をフォーク３に載せたまま重機Ｈを移植先まで移動させ、移植先でコンテナ１０の底板１２をスライドさせることで林床土ブロックＢを取り出すことができるので、手間をかけずに植え付け作業を行うことができる。
【００３１】
なお、本実施の形態に係る植付機１では、植付機本体２の前面板２ｃをユニット枠１１の移動を規制する突き当て部としているが、連結部５でフォーク３とコンテナ１０とを連結したときの位置関係により大きく隙間があくようであれば、前面板２ｃに突き当て部として機能する１以上の凸部を設けたり、前面板２ｃを加工して出っ張るようにしてもよい。
また、本実施の形態では、フォーク３を２本の水平板３１で形成しているが、３本以上としてもよいし、全体を１枚の板部材としてもよい。しかし、フォークを水平板とした方がフォークを１枚の板部材とするより軽量化を図ることができるので、２本以上のフォークとするのが望ましく、２本とするのが最適である。また、本実施の形態では、連結部５を両端にフック５３ａが設けられたワイヤ５３としたが、フォーク３のスライドと共に、コンテナ１０の底板１２がユニット枠１１から移動して外せれば、ワイヤ５３の代わりに棒状部材としてもよい。
【００３２】
また、本実施の形態では、植付機本体２から前方へ延びるようにフォーク３が突出しているが、反対に、植付機本体２から後方へ延びるようにフォーク３が突出するように、植付機１が重機ＨのアームＡに取り付けられていてもよい。
【産業上の利用可能性】
【００３３】
本発明は、樹木や草本などが植生している表土層をブロック状に堀り取った林床土ブロックを、移植先に植え付けるために、重機に装着して使用される植物群植付機に好適である。
【図面の簡単な説明】
【００３４】
【図１】本発明の実施の形態に係る植物群植付機を重機のアームの先端に装着した状態を示す図である。
【図２】林床土ブロックを収納するコンテナの分解した状態を示す図である。
【図３】図１に示す植物群植付機がフォークを前方へスライドした状態を示す斜視図である。
【図４】図３に示す植物群植付機の平面図である。
【図５】植物群植付機の駆動部を示す図であり、フォークが前方へスライドした状態を示す側面図である。
【図６】植物群植付機の駆動部を示す図であり、フォークが後方へスライドした状態を示す側面図である。
【図７】連結部を示す要部拡大図である。
【図８】フォークにコンテナを搭載した植物群植付機の一部を省略した斜視図である。
【図９】フォークをスライドしてコンテナの底板を外した植物群植付機の一部を省略した斜視図である。
【符号の説明】
【００３５】
１  植物群植付機
２  植付機本体
２ａ  底面板
２ｂ  側面板
２ｃ  前面板
２ｄ  後面板
２ｅ  上面板
２１  接続部
３  フォーク
３１  水平板
３２  垂直板
４  駆動部
４０  案内板
４０ａ  案内溝
４１  リンク
４２  シリンダ
４３，４４，４５，４６  ピン
５  連結部
５１  連結板
５１ａ  取付部
５２  連結具
５２ａ  取付部
５３  ワイヤ
５３ａ  フック
１０  コンテナ
１１  ユニット枠
１１ａ  枠板材
１１ｂ  垂木材
１２  底板
１２ａ  底板材
１２ｂ  桟木
Ａ  アーム
Ｈ  重機
Ｂ  林床土ブロック
【図１】
2008161091.tif 000003
【図２】
2008161091.tif 000004
【図３】
2008161091.tif 000005
【図４】
2008161091.tif 000006
【図５】
2008161091.tif 000007
【図６】
2008161091.tif 000008
【図７】
2008161091.tif 000009
【図８】
2008161091.tif 000010
【図９】
2008161091.tif 000011